(57)【特許請求の範囲】
【請求項１】
車載用オーディオ装置のラジオ受信周波数等を表示するセグメント表示を音質特性を示すイコライザー表示と共用にし、前記車載用オーディオ装置のラジオ受信周波数等をセグメント表示するＬＥＤ表示板に、受信周波数帯域を示す種別表示領域と、受信周波数を表示する４桁の内容表示領域とを設け、イコライザー表示を行う場合は、種別表示領域に音楽種別を表示し、内容表示領域のうちの１桁目を低音領域、２桁目を中音領域、３桁目を高音領域としてセグメント表示を行うことを特徴とする車載用表示装置。
【発明の詳細な説明】
【０００１】
【発明の属する技術分野】
本発明は、車載用オーディオ装置のＬＥＤ表示セグメントを利用してイコライザーパターンを表示する車載用表示装置に関する。
【０００２】
【従来の技術】
図３は従来のオーディオ装置のＬＥＤ表示板を示している。図１において、ＬＥＤ表示板１には、ラジオのチャンネル表示、受信帯域、受信周波数、リピート等の機能がセグメント表示できるようになっている。またＬＥＤ表示板１の下部には、さらに別のＬＥＤ表示板２が配置され、ジャズ、ロック、ポップなどの音楽種別の表示と周波数特性を示すバー表示によりイコライザー表示ができるようになっている。また、図４に示す従来の別のオーディオ装置のＬＥＤ表示板では、１つの表示板３にラジオ周波数表示領域３ａとイコライザー表示領域３ｂとが配置されてる。
【０００３】
【発明が解決しようとする課題】
しかしながら、図３に示す表示装置では、２枚のＬＥＤ表示板を必要とし、表示素子の部品点数が多くなり、部品コストが高くなるという問題があった。また、図４に示す表示装置では、左右方向に大きな表示板を必要とするため、表示面積の制約がある車載用の表示装置としては不適当であり、また、１つの表示板とすることにより、表示素子の組み立て工数が多く、組み立て信頼性が低いという問題があった。
【０００４】
本発明は、このような従来の問題を解決するものであり、ラジオの周波数表示とイコライザー表示のできる安価で信頼性の高い車載用表示装置を提供することを目的とする。
【０００５】
【課題を解決するための手段】
本発明は、上記目的を達成するために、通常のラジオ周波数表示を行うＬＥＤ表示装置を利用してイコライザー表示を行うようにしたものであり、オーディオ装置のＬＥＤ表示装置を利用するので、安価で信頼性の高い車載用表示装置を実現することができる。
【０００６】
【発明の実施の形態】
本発明の請求項１に記載の発明は、車載用オーディオ装置のラジオ受信周波数等を表示するセグメント表示を音質特性を示すイコライザー表示と共用にしし、前記車載用オーディオ装置のラジオ受信周波数等をセグメント表示するＬＥＤ表示板に、受信周波数帯域を示す種別表示領域と、受信周波数を表示する４桁の内容表示領域とを設け、イコライザー表示を行う場合は、種別表示領域に音楽種別を表示し、内容表示領域のうちの１桁目を低音領域、２桁目を中音領域、３桁目を高音領域としてセグメント表示を行うこと特徴とする車載用表示装置であり、オーディオ装置のＬＥＤ表示装置を利用するので、安価で信頼性の高い車載用表示装置を実現できるという作用を有する。
【０００９】
（実施の形態）
以下、本発明の実施の形態を図面を参照して説明する。図１（ａ）本発明の実施の形態における車載用表示装置の正面図であり、図１（ｂ）その側面図である。図１において、１１はＬＥＤ表示板であり、１２はＬＥＤ表示板１１を駆動する端子である。ＬＥＤ表示板１１には、左側から３桁のセグメント表示と文字からなり、受信周波数帯域や音楽の種別を表示する種別表示領域１３と、大きな４桁のセグメント表示からなり、受信周波数やイコライザー周波数特性を表示する内容表示領域１４と、文字、記号等からなり、リピート等の機能を表示する機能表示領域１５とを有する。ＬＥＤセグメントは、７セグメント、８セグメント、１０セグメント、１４セグメント等の中から適宜選択して使用する。
【００１０】
図２は本実施の形態における表示例を示している。図２（ａ）はラジオ周波数表示として使用する場合の例であり、２１には種別表示領域１３に周波数帯域のＡＭが表示され、内容表示領域１４に周波数１０００が表示されている。２２には種別表示領域１３に周波数帯域ＦＭ２と文字ＳＴとＳＦが表示され、内容表示領域１４に周波数１０７．９が表示され、機能表示領域１５にＡ．ＳＥＴが表示されている。２３には種別表示領域１３に周波数帯域ＦＭ１と文字ＳＴとＳＦが表示され、内容表示領域１４に周波数１０７．９が表示されている。２４には種別表示領域１３にカセットＣＳＴの文字が表示され、内容表示領域１４には再生中のＰＬＡＹの文字が表示され、機能表示領域１５にはテープ右送りのマークが表示されている。
【００１１】
図２（ｂ）はイコライザー表示として使用する場合の例を示している。３１には種別表示領域１３にニュースＮＷＳの文字とＳＦの文字が表示され、内容表示領域１４には、１桁目のセグメントが下辺のみを表示し、２桁目のセグメントが両側辺と上辺とが表示され、３桁目は下辺のみが表示されて、全体で中央部が高くなった波形を示している。このように、イコライザー表示においては、内容表示領域１４における４桁のセグメントのうち初めの３桁を使用し、１桁目で低音領域を示し、２桁目で中音領域を示し、３桁目で高音領域を示しており、セグメントの中辺がノーマル位置で、中辺よりも下側であれば、より低音が強調され、中辺よりも上側であれば、より高音が強調されていることを示している。
【００１２】
同様にして、３２には種別表示領域１３にカントリーアンドウエスタンＣ／Ｗの文字とＳＦの文字が表示され、内容表示領域１４には、１桁目のセグメントが上辺のみを表示し、２桁目のセグメントが両側辺と下辺とが表示され、３桁目は上辺のみが表示されて、低音が高く、中音が低く、高音が高く強調されていることを示している。
【００１３】
３３には種別表示領域１３にジャズＪＡＺの文字とＳＦの文字が表示され、内容表示領域１４には、１桁目のセグメントが中辺のみを表示し、２桁目のセグメントは左下側辺と下辺と右両側辺とが表示され、３桁目は上辺のみが表示されて、低音がノーマルで、中音が低く、高音が高く強調されていることを示している。
【００１４】
３４には種別表示領域１３にポップスＰＯＰの文字とＳＦの文字が表示され、内容表示領域１４には、１桁目と２桁目のセグメントが下辺のみを表示し、３桁目のセグメントは左両側辺と上辺とが表示されて、低音および中音が低く、高音が高く強調されていることを示している。
【００１５】
３５には種別表示領域１３にクラッシクＣＬＳの文字とＳＦの文字が表示され、内容表示領域１４には、１桁目と２桁目のセグメントが中辺のみを表示し、３桁目のセグメントは左上側辺と上辺とが表示されて、低音および中音がノーマルで、高音が高く強調されていることを示している。
【００１６】
３６には種別表示領域１３にロックＲＯＣの文字とＳＦの文字が表示され、内容表示領域１４には、１桁目のセグメントが上辺のみを表示し、２桁目のセグメントは左両側辺と下辺とが表示され、３桁目は下辺のみが表示されて、低音が高く、中音および高音が低く強調されていることを示している。
【００１７】
３７には種別表示領域１３にフラットＦＬＴの文字が表示され、内容表示領域１４には、１桁目から３桁目まですべてのセグメントが中辺のみを表示して、すべての領域でノーマルで再生されていることを示している。
【００１８】
そして、３８では種別表示領域１３にオフＯＦＦの文字が表示されて、再生が停止されたことを示している。
【００１９】
【発明の効果】
以上のように、本発明によれば、通常のラジオ周波数表示を行うＬＥＤ表示装置を利用してイコライザー表示を行うようにしたものであり、オーディオ装置のＬＥＤ表示装置を利用できるので、安価で信頼性の高い車載用表示装置を実現することができる。
【図面の簡単な説明】
【図１】（ａ）本発明の実施の形態における車載用表示装置の正面図
（ｂ）本発明の実施の形態における車載用表示装置の側面図
【図２】（ａ）本発明の実施の形態におけるラジオ周波数表示の例を示す模式図
（ｂ）本発明の実施の形態におけるイコライザー表示の例を示す模式図
【図３】（ａ）従来例における車載用表示装置の正面図
（ｂ）従来例における車載用表示装置の側面図
【図４】（ａ）別の従来例における車載用表示装置の正面図
（ｂ）別の従来例における車載用表示装置の側面図
【符号の説明】
１１    ＬＥＤ表示板
１２    端子
１３    種別表示領域
１４    内容表示領域
１５    機能表示領域
【図１】
0003615044.tif 000002
【図２】
0003615044.tif 000003
【図３】
0003615044.tif 000004
【図４】
0003615044.tif 000005